(57)【要約】【課題】本発明はビーチモールドバケツを開示した。【解決手段】バケツ本体を含み、前記バケツ本体の中にはバケツチャンバが設置され、前記バケツチャンバの右側と外部との間には開けチャンバが連通し設置され、前記バケツチャンバの左端壁の中には回転溝が連通し設置され、前記回転溝の中にはネジが回転できるように設置され、前記回転溝の下側には動力装置が設置され、前記ネジの下端と前記動力装置とが伝動できるように連結され、前記回転溝の上側には開け溝が連通し設置され、前記開け溝が外部空間と前記バケツチャンバとを連通しており、本発明は構造が簡単で、操作が便利であり、成形効率が高く、作った砂型が丈夫で、崩れにくく、そして、モールドバケツは外観がきれいで、収納と携帯とが便利である。【選択図】図１
2020179105.tif 000002
【特許請求の範囲】
【請求項１】
正面視で、バケツ本体を含み、前記バケツ本体の中にはバケツチャンバが設置され、前記バケツチャンバの右側と外部との間には開けチャンバが連通し設置され、前記バケツチャンバの左端壁の中には回転溝が連通し設置され、前記回転溝の中にはネジが回転できるように設置され、前記回転溝の下側には動力装置が設置され、前記ネジの下端と前記動力装置とが伝動できるように連結され、前記回転溝の上側には開け溝が連通し設置され、前記開け溝が外部空間と前記バケツチャンバとを連通しており、前記ネジの上端と前記開け溝の上端壁とが回転できるように連結され、且つ前記ネジには回転ブロックがネジ山により連結され、前記回転ブロックの右端には固定盤が固定的に設置され、前記固定盤の下端面には磁石が固定的に設置され、前記磁石の下端にはモールドが磁力吸引により設置され、前記バケツチャンバの下側にはプッシュ板がスライドできるように設置され、前記プッシュ板の中にはスライド溝が設置され、前記スライド溝の中にはスライドブロックがスライドできるように設置され、前記バケツチャンバの下側には連通チャンバが連通し設置され、前記連通チャンバの中には昇降装置が設置され、前記昇降装置が前記スライドブロックと回転できるように連結され、前記連通チャンバの下側には回転チャンバが連通し設置され、前記回転チャンバの中には回転軸により回転輪が回転できるように設置され、前記回転輪の下端には前後に対称している固定ロッドが固定的に設置され、前記固定ロッドの下端にはショベルが固定的に設置され、前記回転軸と前記動力装置とが伝動できるように連結され、前記回転チャンバの前後側には空き溝が連通し設置され、前記回転軸の前後端がそれぞれ前記空き溝の中に挿入され、且つ前記回転軸の前後端には回しロッドが固定的に設置され、前記空き溝において互いに離れている側には水チャンバが設置され、前記水チャンバの下側には噴水装置が設置され、前記噴水装置と前記回しロッドとが当接しており、前記回転チャンバの前後側には収縮チャンバが対称的に設置され、前記収縮チャンバの中には前記バケツ本体を支持できる支持装置が設置され、
前記支持装置が前記バケツ本体をビーチに支え、前記ショベルが砂を前記バケツチャンバの中に送り、前記モールドにより成形することを特徴とするビーチモールドバケツ。
【請求項２】
前記動力装置は移動チャンバを含み、前記移動チャンバの中には前記移動チャンバの左右端壁と磁力吸引できる移動ブロックがスライドできるように設置され、前記移動チャンバの上側には引き溝が連通し設置され、前記引き溝の中には下端が前記移動ブロックと固定的に連結される引きロッドがスライドできるように設置され、前記引きロッドの左端が外部まで伸びており、前記移動ブロックの中にはモータが固定的に設置され、前記モータの両端にはスプライン軸が伝動できるように連結され、前記移動チャンバの左右端壁の中には前記スプライン軸とスプラインにより連結されるスプラインスリーブが回転できるように設置され、左側の前記スプラインスリーブの左端には第一傘歯車が固定的に設置され、前記第一傘歯車の後端には第二傘歯車が噛合し設置され、前記第二傘歯車と前記回転軸とがベルトにより伝動できるように連結され、右側の前記スプラインスリーブの右端には第三傘歯車が固定的に設置され、前記第三傘歯車の上端には第四傘歯車が噛合し設置され、前記第四傘歯車の上端と前記ネジとが固定的に連結され、前記第四傘歯車の右端には第五傘歯車が噛合し設置され、前記第五傘歯車の右端面には固定軸が固定的に設置され、前記固定軸の右端と前記昇降装置とが伝動できるように連結され、
前記モータがそれぞれ前記モールドを成形駆動し、前記ショベルを砂送り駆動することを特徴とする請求項１に記載のビーチモールドバケツ。
【請求項３】
前記昇降装置は連通チャンバの中に回転できるように設置される回転ロッドを含み、前記回転ロッドの上端と前記スライドブロックとが回転できるように連結され、前記回転ロッドの中にはプッシュ溝が設置され、前記プッシュ溝の中にはプッシュブロックがスライドできるように設置され、前記プッシュブロックにはプッシュロッドが回転できるように設置され、前記プッシュロッドの左端にはネジ山軸がネジ山により連結され、前記ネジ山軸の左端の中には凹溝が設置され、前記凹溝の上下側には貫通溝が連通し設置され、前記固定軸の右端が前記凹溝の中に挿入され、且つ前記固定軸の右端には前後に対称している固定ブロックが固定的に設置され、前記固定ブロックにおいて互いに離れている一端がそれぞれ前記貫通溝の中に挿入され、且つ前記固定ブロックと前記貫通溝との間にはトーションばねが固定的に設置され、
前記プッシュロッドが水平に移動し前記回転ロッドを回転させることを特徴とする請求項１に記載のビーチモールドバケツ。
【請求項４】
前記噴水装置は前記空き溝と連通している連通溝を含み、前記連通溝の中には近接する一端が前記回しロッドと当接している連通ブロックがスライドできるように設置され、前記連通ブロックにおいて互いに離れている一端と前記連通溝との間には押圧ばねが固定的に設置され、前記連通ブロックの中には前記水チャンバと外部とを連通できる貫き溝が設置され、前記水チャンバと外部との間にはノズルが固定的に設置され、
前記回転輪が回転し前記水チャンバを外部と間欠的に連通させることを特徴とする請求項１に記載のビーチモールドバケツ。
【請求項５】
前記支持装置は収縮チャンバの中に回転できるように設置される回転筒を含み、前記回転筒の下端には左右に対称している支えロッドが固定的に設置され、前記支えロッドの間が連結ロッドにより固定的に連結され、前記支えロッドの下端には前記バケツ本体を支えることができる支えブロックが回転できるように設置され、前記回転筒の外周の中には六つの引掛り溝が設置され、前記収縮チャンバの下端壁の中には押し溝が連通し設置され、前記押し溝の中には上端が前記引掛り溝の中に伸びている引掛りロッドがスライドできるように設置され、前記引掛りロッドの右端が外部まで伸びており、前記引掛りロッドの下端と前記押し溝との間には回転ばねが固定的に設置され、
前記引掛りロッドが前記支えロッドの位置をロックすることを特徴とする請求項１に記載のビーチモールドバケツ。
【発明の詳細な説明】
【技術分野】
【０００１】
本発明はおもちゃ技術分野を取り上げて、具体的にはビーチモールドバケツである。
【背景技術】
【０００２】
既存のビーチモールドは手動で砂を入れて押し、砂型を作るが、子供たちの力が小さく、砂が受けた圧力が小さく、砂型は構造が丈夫でなく、崩れやすく、また、手動で砂型を作ることに時間がかかり、先に作った砂型は乾燥し割れやすいため、自動的な自動的にコンパクトで砂型を自動的に製造するモールドバケツを設計する必要がある。
【先行技術文献】
【特許文献】
【０００３】
【特許文献１】中国特許出願公開第１０９０９４２８０号明細書
【発明の概要】
【発明が解決しようとする課題】
【０００４】
本発明の目的はビーチモールドバケツを提供し、それは上記の現在の技術中の問題を解決できる。
【課題を解決するための手段】
【０００５】
本発明のビーチモールドバケツは、バケツ本体を含み、前記バケツ本体の中にはバケツチャンバが設置され、前記バケツチャンバの右側と外部との間には開けチャンバが連通し設置され、前記バケツチャンバの左端壁の中には回転溝が連通し設置され、前記回転溝の中にはネジが回転できるように設置され、前記回転溝の下側には動力装置が設置され、前記ネジの下端と前記動力装置とが伝動できるように連結され、前記回転溝の上側には開け溝が連通し設置され、前記開け溝が外部空間と前記バケツチャンバとを連通しており、前記ネジの上端と前記開け溝の上端壁とが回転できるように連結され、且つ前記ネジには回転ブロックがネジ山により連結され、前記回転ブロックの右端には固定盤が固定的に設置され、前記固定盤の下端面には磁石が固定的に設置され、前記磁石の下端にはモールドが磁力吸引により設置され、前記バケツチャンバの下側にはプッシュ板がスライドできるように設置され、前記プッシュ板の中にはスライド溝が設置され、前記スライド溝の中にはスライドブロックがスライドできるように設置され、前記バケツチャンバの下側には連通チャンバが連通し設置され、前記連通チャンバの中には昇降装置が設置され、前記昇降装置が前記スライドブロックと回転できるように連結され、前記連通チャンバの下側には回転チャンバが連通し設置され、前記回転チャンバの中には回転軸により回転輪が回転できるように設置され、前記回転輪の下端には前後に対称している固定ロッドが固定的に設置され、前記固定ロッドの下端にはショベルが固定的に設置され、前記回転軸と前記動力装置とが伝動できるように連結され、前記回転チャンバの前後側には空き溝が連通し設置され、前記回転軸の前後端がそれぞれ前記空き溝の中に挿入され、且つ前記回転軸の前後端には回しロッドが固定的に設置され、前記空き溝において互いに離れている側には水チャンバが設置され、前記水チャンバの下側には噴水装置が設置され、前記噴水装置と前記回しロッドとが当接しており、前記回転チャンバの前後側には収縮チャンバが対称的に設置され、前記収縮チャンバの中には前記バケツ本体を支持できる支持装置が設置され、
前記支持装置が前記バケツ本体をビーチに支え、前記ショベルが砂を前記バケツチャンバの中に送り、前記モールドにより成形する。
【０００６】
さらなる技術プラン、前記動力装置は移動チャンバを含み、前記移動チャンバの中には前記移動チャンバの左右端壁と磁力吸引できる移動ブロックがスライドできるように設置され、前記移動チャンバの上側には引き溝が連通し設置され、前記引き溝の中には下端が前記移動ブロックと固定的に連結される引きロッドがスライドできるように設置され、前記引きロッドの左端が外部まで伸びており、前記移動ブロックの中にはモータが固定的に設置され、前記モータの両端にはスプライン軸が伝動できるように連結され、前記移動チャンバの左右端壁の中には前記スプライン軸とスプラインにより連結されるスプラインスリーブが回転できるように設置され、左側の前記スプラインスリーブの左端には第一傘歯車が固定的に設置され、前記第一傘歯車の後端には第二傘歯車が噛合し設置され、前記第二傘歯車と前記回転軸とがベルトにより伝動できるように連結され、右側の前記スプラインスリーブの右端には第三傘歯車が固定的に設置され、前記第三傘歯車の上端には第四傘歯車が噛合し設置され、前記第四傘歯車の上端と前記ネジとが固定的に連結され、前記第四傘歯車の右端には第五傘歯車が噛合し設置され、前記第五傘歯車の右端面には固定軸が固定的に設置され、前記固定軸の右端と前記昇降装置とが伝動できるように連結され、
前記モータがそれぞれ前記モールドを成形駆動し、前記ショベルを砂送り駆動する。
【０００７】
さらなる技術プラン、前記昇降装置は連通チャンバの中に回転できるように設置される回転ロッドを含み、前記回転ロッドの上端と前記スライドブロックとが回転できるように連結され、前記回転ロッドの中にはプッシュ溝が設置され、前記プッシュ溝の中にはプッシュブロックがスライドできるように設置され、前記プッシュブロックにはプッシュロッドが回転できるように設置され、前記プッシュロッドの左端にはネジ山軸がネジ山により連結され、前記ネジ山軸の左端の中には凹溝が設置され、前記凹溝の上下側には貫通溝が連通し設置され、前記固定軸の右端が前記凹溝の中に挿入され、且つ前記固定軸の右端には前後に対称している固定ブロックが固定的に設置され、前記固定ブロックにおいて互いに離れている一端がそれぞれ前記貫通溝の中に挿入され、且つ前記固定ブロックと前記貫通溝との間にはトーションばねが固定的に設置され、
前記プッシュロッドが水平に移動し前記回転ロッドを回転させる。
【０００８】
さらなる技術プラン、前記噴水装置は前記空き溝と連通している連通溝を含み、前記連通溝の中には近接する一端が前記回しロッドと当接している連通ブロックがスライドできるように設置され、前記連通ブロックにおいて互いに離れている一端と前記連通溝との間には押圧ばねが固定的に設置され、前記連通ブロックの中には前記水チャンバと外部とを連通できる貫き溝が設置され、前記水チャンバと外部との間にはノズルが固定的に設置され、
前記回転輪が回転し前記水チャンバを外部と間欠的に連通させる。
【０００９】
さらなる技術プラン、前記支持装置は収縮チャンバの中に回転できるように設置される回転筒を含み、前記回転筒の下端には左右に対称している支えロッドが固定的に設置され、前記支えロッドの間が連結ロッドにより固定的に連結され、前記支えロッドの下端には前記バケツ本体を支えることができる支えブロックが回転できるように設置され、前記回転筒の外周の中には六つの引掛り溝が設置され、前記収縮チャンバの下端壁の中には押し溝が連通し設置され、前記押し溝の中には上端が前記引掛り溝の中に伸びている引掛りロッドがスライドできるように設置され、前記引掛りロッドの右端が外部まで伸びており、前記引掛りロッドの下端と前記押し溝との間には回転ばねが固定的に設置され、
前記引掛りロッドが前記支えロッドの位置をロックする。
【発明の効果】
【００１０】
本発明の有益的な効果は：本発明は構造が簡単で、操作が便利であり、ショベルが自動的に砂を掘りバケツチャンバの中に送り、自動的に成形を行い、成形効率が高く、作った砂型が丈夫で、崩れにくく、そして、モールドバケツは外観がきれいで、収納と携帯とが便利である。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のビーチモールドバケツが使用する装置の内部全体構造概略図
【図２】図２は本発明の図１のＡの拡大構造概略図
【図３】図３は本発明の図２のＢ―Ｂ方向の構造概略図
【図４】図４は本発明の図１のＣ―Ｃ方向の構造概略図
【図５】図５は本発明の図１のＤの拡大構造概略図
【図６】図６は本発明の図１のＥ―Ｅ方向の構造概略図
【図７】図７は本発明の図６のＦの拡大構造概略図
【発明を実施するための形態】
【００１３】
図１〜７を参照し、本発明のビーチモールドバケツは、バケツ本体１０を含み、前記バケツ本体１０の中にはバケツチャンバ１１が設置され、前記バケツチャンバ１１の右側と外部との間には開けチャンバ３４が連通し設置され、前記バケツチャンバ１１の左端壁の中には回転溝１２が連通し設置され、前記回転溝１２の中にはネジ１３が回転できるように設置され、前記回転溝１２の下側には動力装置１００が設置され、前記ネジ１３の下端と前記動力装置１００とが伝動できるように連結され、前記回転溝１２の上側には開け溝１８が連通し設置され、前記開け溝１８が外部空間と前記バケツチャンバ１１とを連通しており、前記ネジ１３の上端と前記開け溝１８の上端壁とが回転できるように連結され、且つ前記ネジ１３には回転ブロック１４がネジ山により連結され、前記回転ブロック１４の右端には固定盤１５が固定的に設置され、前記固定盤１５の下端面には磁石１６が固定的に設置され、前記磁石１６の下端にはモールド１７が磁力吸引により設置され、前記バケツチャンバ１１の下側にはプッシュ板１９がスライドできるように設置され、前記プッシュ板１９の中にはスライド溝２０が設置され、前記スライド溝２０の中にはスライドブロック２１がスライドできるように設置され、前記バケツチャンバ１１の下側には連通チャンバ２４が連通し設置され、前記連通チャンバ２４の中には昇降装置２００が設置され、前記昇降装置２００が前記スライドブロック２１と回転できるように連結され、前記連通チャンバ２４の下側には回転チャンバ３５が連通し設置され、前記回転チャンバ３５の中には回転軸３６により回転輪３７が回転できるように設置され、前記回転輪３７の下端には前後に対称している固定ロッド３８が固定的に設置され、前記固定ロッド３８の下端にはショベル３９が固定的に設置され、前記回転軸３６と前記動力装置１００とが伝動できるように連結され、前記回転チャンバ３５の前後側には空き溝５６が連通し設置され、前記回転軸３６の前後端がそれぞれ前記空き溝５６の中に挿入され、且つ前記回転軸３６の前後端には回しロッド５７が固定的に設置され、前記空き溝５６において互いに離れている側には水チャンバ５０が設置され、前記水チャンバ５０の下側には噴水装置３００が設置され、前記噴水装置３００と前記回しロッド５７とが当接しており、前記回転チャンバ３５の前後側には収縮チャンバ４１が対称的に設置され、前記収縮チャンバ４１の中には前記バケツ本体１０を支持できる支持装置４００が設置され、
前記支持装置４００が前記バケツ本体１０をビーチに支え、前記ショベル３９が砂を前記バケツチャンバ１１の中に送り、前記モールド１７により成形する。
【００１４】
有益的には、前記動力装置１００は移動チャンバ６７を含み、前記移動チャンバ６７の中には前記移動チャンバ６７の左右端壁と磁力吸引できる移動ブロック６６がスライドできるように設置され、前記移動チャンバ６７の上側には引き溝７０が連通し設置され、前記引き溝７０の中には下端が前記移動ブロック６６と固定的に連結される引きロッド７１がスライドできるように設置され、前記引きロッド７１の左端が外部まで伸びており、前記移動ブロック６６の中にはモータ６５が固定的に設置され、前記モータ６５の両端にはスプライン軸６４が伝動できるように連結され、前記移動チャンバ６７の左右端壁の中には前記スプライン軸６４とスプラインにより連結されるスプラインスリーブ６３が回転できるように設置され、左側の前記スプラインスリーブ６３の左端には第一傘歯車６８が固定的に設置され、前記第一傘歯車６８の後端には第二傘歯車６９が噛合し設置され、前記第二傘歯車６９と前記回転軸３６とがベルト５８により伝動できるように連結され、右側の前記スプラインスリーブ６３の右端には第三傘歯車６２が固定的に設置され、前記第三傘歯車６２の上端には第四傘歯車６１が噛合し設置され、前記第四傘歯車６１の上端と前記ネジ１３とが固定的に連結され、前記第四傘歯車６１の右端には第五傘歯車６０が噛合し設置され、前記第五傘歯車６０の右端面には固定軸３０が固定的に設置され、前記固定軸３０の右端と前記昇降装置２００とが伝動できるように連結され、
前記モータ６５がそれぞれ前記モールド１７を成形駆動し、前記ショベル３９を砂送り駆動する。
【００１５】
有益的には、前記昇降装置２００は連通チャンバ２４の中に回転できるように設置される回転ロッド２２を含み、前記回転ロッド２２の上端と前記スライドブロック２１とが回転できるように連結され、前記回転ロッド２２の中にはプッシュ溝２３が設置され、前記プッシュ溝２３の中にはプッシュブロック２５がスライドできるように設置され、前記プッシュブロック２５にはプッシュロッド２６が回転できるように設置され、前記プッシュロッド２６の左端にはネジ山軸２７がネジ山により連結され、前記ネジ山軸２７の左端の中には凹溝３３が設置され、前記凹溝３３の上下側には貫通溝２９が連通し設置され、前記固定軸３０の右端が前記凹溝３３の中に挿入され、且つ前記固定軸３０の右端には前後に対称している固定ブロック３１が固定的に設置され、前記固定ブロック３１において互いに離れている一端がそれぞれ前記貫通溝２９の中に挿入され、且つ前記固定ブロック３１と前記貫通溝２９との間にはトーションばね３２が固定的に設置され、
前記プッシュロッド２６が水平に移動し前記回転ロッド２２を回転させる。
【００１６】
有益的には、前記噴水装置３００は前記空き溝５６と連通している連通溝５１を含み、前記連通溝５１の中には近接する一端が前記回しロッド５７と当接している連通ブロック５２がスライドできるように設置され、前記連通ブロック５２において互いに離れている一端と前記連通溝５１との間には押圧ばね５４が固定的に設置され、前記連通ブロック５２の中には前記水チャンバ５０と外部とを連通できる貫き溝５３が設置され、前記水チャンバ５０と外部との間にはノズル５５が固定的に設置され、
前記回転輪３７が回転し前記水チャンバ５０を外部と間欠的に連通させる。
【００１７】
有益的には、前記支持装置４００は収縮チャンバ４１の中に回転できるように設置される回転筒４２を含み、前記回転筒４２の下端には左右に対称している支えロッド４３が固定的に設置され、前記支えロッド４３の間が連結ロッド４９により固定的に連結され、前記支えロッド４３の下端には前記バケツ本体１０を支えることができる支えブロック４４が回転できるように設置され、前記回転筒４２の外周の中には六つの引掛り溝４５が設置され、前記収縮チャンバ４１の下端壁の中には押し溝４６が連通し設置され、前記押し溝４６の中には上端が前記引掛り溝４５の中に伸びている引掛りロッド４７がスライドできるように設置され、前記引掛りロッド４７の右端が外部まで伸びており、前記引掛りロッド４７の下端と前記押し溝４６との間には回転ばね４８が固定的に設置され、
前記引掛りロッド４７が前記支えロッド４３の位置をロックする。
【００１８】
初期状態に、左側のスプライン軸６４と左側のスプラインスリーブ６３とが連結され、プッシュ板１９とバケツチャンバ１１の下端壁とが当接していなく、支えロッド４３が収縮チャンバ４１の中に収縮しており、ショベル３９が回転チャンバ３５の中に収縮しており、水チャンバ５０の中には水がある。
【００１９】
作動するとき、引掛りロッド４７を下に引き、回転筒４２を回転させ支えブロック４４を地面と当接させ、引掛りロッド４７を放し引掛り溝４５と引掛って連結させ、それによりバケツ本体１０が安定になり、モータ６５が作動し第二傘歯車６９を回転連動させ、ベルト５８により回転輪３７を回転させ、ショベル３９がバケツ本体１０の下にある砂を掘り、ショベル３９が回転し砂をバケツチャンバ１１の中に送り、その過程では、回しロッド５７が共に回転し連通ブロック５２を回し、それにより貫き溝５３が水チャンバ５０と外部とを連通し、水チャンバ５０の中にある水がノズル５５により砂に噴出し、モータ６５が反転しショベル３９を反転させることができ、操作を繰り返し、濡れた砂を掘り、砂の充填が完了した後、引きロッド７１を右にプッシュし移動ブロック６６と移動チャンバ６７の右端壁とを磁力吸引させ、それにより右側のスプライン軸６４と右側のスプラインスリーブ６３とが連結され、モータ６５が作動し第四傘歯車６１を回転駆動し、それによりネジ１３が回転し回転ブロック１４に固定盤１５を降下連動させ砂型を作ることを準備し、第四傘歯車６１が回転し固定軸３０を回転させ、それにより固定ブロック３１とトーションばね３２とによりネジ山軸２７を回転させ、プッシュロッド２６が右に移動し回転ロッド２２を回転させ、それによりプッシュ板１９がバケツチャンバ１１の下側限界位置まで下がり、ネジ１３が回転し続け、固定軸３０が固定ブロック３１を回転連動させ、且つ固定ブロック３１がトーションばね３２を押しトーションばね３２を収縮させ、このときネジ山軸２７が動かなく、モールド１７が下がり成形を行い、成形が終わると、モータ６５が反転し、回転ブロック１４がモールド１７を上面から見ると反時計回りに外部まで回転連動させ、このとき、固定軸３０がネジ山軸２７を反転連動させ、プッシュロッド２６により回転ロッド２２を反転させ、プッシュ板１９をプッシュし上昇させ砂型を上にプッシュし、取ることに便利である。
【００２０】
本発明の有益的な効果は：本発明は構造が簡単で、操作が便利であり、ショベルが自動的に砂を掘りバケツチャンバの中に送り、自動的に成形を行い、成形効率が高く、作った砂型が丈夫で、崩れにくく、そして、モールドバケツは外観がきれいで、収納と携帯とが便利である。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179105.tif 000003
【図２】
2020179105.tif 000004
【図３】
2020179105.tif 000005
【図４】
2020179105.tif 000006
【図５】
2020179105.tif 000007
【図６】
2020179105.tif 000008
【図７】
2020179105.tif 000009
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
正面視で、バケツ本体を含み、前記バケツ本体の中にはバケツチャンバが設置され、前記バケツチャンバの右側と外部との間には開けチャンバが連通し設置され、前記バケツチャンバの左端壁の中には回転溝が連通し設置され、前記回転溝の中にはネジが回転できるように設置され、前記回転溝の下側には動力装置が設置され、前記ネジの下端と前記動力装置とが伝動できるように連結され、前記回転溝の上側内壁の中には前記回転溝に連通している開け溝が設置され、前記開け溝が外部空間と前記バケツチャンバとを連通しており、前記ネジの上端と前記開け溝の上端壁とが回転できるように連結され、且つ前記ネジには回転ブロックがネジ山により連結され、前記回転ブロックの右端には固定盤が固定的に設置され、前記固定盤の下端面には磁石が固定的に設置され、前記磁石の下端にはモールドが磁力吸引により設置され、前記バケツチャンバの下側にはプッシュ板がスライドできるように設置され、前記プッシュ板の中にはスライド溝が設置され、前記スライド溝の中にはスライドブロックがスライドできるように設置され、前記バケツチャンバの内壁の中には連通チャンバが設置され、前記連通チャンバの中には昇降装置が設置され、前記昇降装置が前記スライドブロックと回転できるように連結され、前記連通チャンバの下側には回転チャンバが連通し設置され、前記回転チャンバの中には回転軸により回転輪が回転できるように設置され、前記回転輪の下端には固定ロッドが固定的に設置され、前記固定ロッドの下端にはショベルが固定的に設置され、前記回転軸と前記動力装置とが伝動できるように連結され、前記回転チャンバの前後側には空き溝が連通し設置され、前記回転軸の前後端がそれぞれ前記空き溝の中に挿入され、且つ前記回転軸の前後端には回しロッドが固定的に設置され、前記空き溝において互いに離れている側には水チャンバが設置され、前記水チャンバの下側には噴水装置が設置され、前記噴水装置と前記回しロッドとが当接しており、前記開けチャンバの前後側内壁の中には前記開けチャンバを中心として対称している収縮チャンバが設置され、前記収縮チャンバの中には前記バケツ本体を支持できる支持装置が設置され、
前記支持装置が前記バケツ本体をビーチに支え、前記ショベルが砂を前記バケツチャンバの中に送り、前記モールドにより成形することを特徴とするビーチモールドバケツ。
【請求項２】
前記動力装置は移動チャンバを含み、前記移動チャンバの中には前記移動チャンバの左右端壁と磁力吸引できる移動ブロックがスライドできるように設置され、前記移動チャンバの上側には引き溝が連通し設置され、前記引き溝の中には下端が前記移動ブロックと固定的に連結される引きロッドがスライドできるように設置され、前記引きロッドの左端が外部まで伸びており、前記移動ブロックの中にはモータが固定的に設置され、前記モータの両端にはスプライン軸が伝動できるように連結され、前記移動チャンバの左右端壁の中には前記スプライン軸とスプラインにより連結されるスプラインスリーブが回転できるように設置され、左側の前記スプラインスリーブの左端には第一傘歯車が固定的に設置され、前記第一傘歯車の後端には第二傘歯車が噛合し設置され、前記第二傘歯車と前記回転軸とがベルトにより伝動できるように連結され、右側の前記スプラインスリーブの右端には第三傘歯車が固定的に設置され、前記第三傘歯車の上端には第四傘歯車が噛合し設置され、前記第四傘歯車の上端と前記ネジとが固定的に連結され、前記第四傘歯車の右端には第五傘歯車が噛合し設置され、前記第五傘歯車の右端面には固定軸が固定的に設置され、前記固定軸の右端と前記昇降装置とが伝動できるように連結され、
前記モータがそれぞれ前記モールドを成形駆動し、前記ショベルを駆動し砂を送らせることを特徴とする請求項１に記載のビーチモールドバケツ。
【請求項３】
前記昇降装置は連通チャンバの中に回転できるように設置される回転ロッドを含み、前記回転ロッドの上端と前記スライドブロックとが回転できるように連結され、前記回転ロッドの中にはプッシュ溝が設置され、前記プッシュ溝の中にはプッシュブロックがスライドできるように設置され、前記プッシュブロックにはプッシュロッドが回転できるように設置され、前記プッシュロッドの左端にはネジ山軸がネジ山により連結され、前記ネジ山軸の左端の中には凹溝が設置され、前記凹溝の上下側には貫通溝が連通し設置され、前記固定軸の右端が前記凹溝の中に挿入され、且つ前記固定軸の右端には前後に対称している固定ブロックが固定的に設置され、前記固定ブロックにおいて互いに離れている一端がそれぞれ前記貫通溝の中に挿入され、且つ前記固定ブロックと前記貫通溝との間にはトーションばねが固定的に設置され、
前記プッシュロッドが水平に移動し前記回転ロッドを回転させることを特徴とする請求項１に記載のビーチモールドバケツ。
【請求項４】
前記噴水装置は前記空き溝と連通している連通溝を含み、前記連通溝の中には近接する一端が前記回しロッドと当接している連通ブロックがスライドできるように設置され、前記連通ブロックにおいて互いに離れている一端と前記連通溝との間には押圧ばねが固定的に設置され、前記連通ブロックの中には前記水チャンバと外部とを連通できる貫き溝が設置され、前記水チャンバと外部との間にはノズルが固定的に設置され、
前記回転輪が回転し前記水チャンバを外部と間欠的に連通させることを特徴とする請求項１に記載のビーチモールドバケツ。
【請求項５】
前記支持装置は収縮チャンバの中に回転できるように設置される回転筒を含み、前記回転筒の下端には左右に対称している支えロッドが固定的に設置され、前記支えロッドの間が連結ロッドにより固定的に連結され、前記支えロッドの下端には前記バケツ本体を支えることができる支えブロックが回転できるように設置され、前記回転筒の外周の中には六つの引掛り溝が設置され、前記収縮チャンバの下端壁の中には押し溝が連通し設置され、前記押し溝の中には上端が前記引掛り溝の中に伸びている引掛りロッドがスライドできるように設置され、前記引掛りロッドの右端が外部まで伸びており、前記引掛りロッドの下端と前記押し溝との間には回転ばねが固定的に設置され、
前記引掛りロッドが前記支えロッドの位置をロックすることを特徴とする請求項１に記載のビーチモールドバケツ。
【手続補正２】
【補正対象書類名】明細書
【補正対象項目名】全文
【補正方法】変更
【補正の内容】
【発明の詳細な説明】
【技術分野】
【０００１】
本発明はおもちゃ技術分野を取り上げて、具体的にはビーチモールドバケツである。
【背景技術】
【０００２】
既存のビーチモールドは手動で砂を入れて押し、砂型を作るが、子供たちの力が小さく、砂が受けた圧力が小さく、砂型は構造が丈夫でなく、崩れやすく、また、手動で砂型を作ることに時間がかかり、先に作った砂型は乾燥し割れやすいため、自動的な自動的にコンパクトで砂型を自動的に製造するモールドバケツを設計する必要がある。
【先行技術文献】
【特許文献】
【０００３】
【特許文献１】中国特許出願公開第１０９０９４２８０号明細書
【発明の概要】
【発明が解決しようとする課題】
【０００４】
本発明の目的はビーチモールドバケツを提供し、それは上記の現在の技術中の問題を解決できる。
【課題を解決するための手段】
【０００５】
本発明のビーチモールドバケツは、バケツ本体を含み、前記バケツ本体の中にはバケツチャンバが設置され、前記バケツチャンバの右側と外部との間には開けチャンバが連通し設置され、前記バケツチャンバの左端壁の中には回転溝が連通し設置され、前記回転溝の中にはネジが回転できるように設置され、前記回転溝の下側には動力装置が設置され、前記ネジの下端と前記動力装置とが伝動できるように連結され、前記回転溝の上側内壁の中には前記回転溝に連通している開け溝が設置され、前記開け溝が外部空間と前記バケツチャンバとを連通しており、前記ネジの上端と前記開け溝の上端壁とが回転できるように連結され、且つ前記ネジには回転ブロックがネジ山により連結され、前記回転ブロックの右端には固定盤が固定的に設置され、前記固定盤の下端面には磁石が固定的に設置され、前記磁石の下端にはモールドが磁力吸引により設置され、前記バケツチャンバの下側にはプッシュ板がスライドできるように設置され、前記プッシュ板の中にはスライド溝が設置され、前記スライド溝の中にはスライドブロックがスライドできるように設置され、前記バケツチャンバの内壁の中には連通チャンバが設置され、前記連通チャンバの中には昇降装置が設置され、前記昇降装置が前記スライドブロックと回転できるように連結され、前記連通チャンバの下側には回転チャンバが連通し設置され、前記回転チャンバの中には回転軸により回転輪が回転できるように設置され、前記回転輪の下端には固定ロッドが固定的に設置され、前記固定ロッドの下端にはショベルが固定的に設置され、前記回転軸と前記動力装置とが伝動できるように連結され、前記回転チャンバの前後側には空き溝が連通し設置され、前記回転軸の前後端がそれぞれ前記空き溝の中に挿入され、且つ前記回転軸の前後端には回しロッドが固定的に設置され、前記空き溝において互いに離れている側には水チャンバが設置され、前記水チャンバの下側には噴水装置が設置され、前記噴水装置と前記回しロッドとが当接しており、前記開けチャンバの前後側内壁の中には前記開けチャンバを中心として対称している収縮チャンバが設置され、前記収縮チャンバの中には前記バケツ本体を支持できる支持装置が設置され、
前記支持装置が前記バケツ本体をビーチに支え、前記ショベルが砂を前記バケツチャンバの中に送り、前記モールドにより成形する。
【０００６】
さらなる技術プラン、前記動力装置は移動チャンバを含み、前記移動チャンバの中には前記移動チャンバの左右端壁と磁力吸引できる移動ブロックがスライドできるように設置され、前記移動チャンバの上側には引き溝が連通し設置され、前記引き溝の中には下端が前記移動ブロックと固定的に連結される引きロッドがスライドできるように設置され、前記引きロッドの左端が外部まで伸びており、前記移動ブロックの中にはモータが固定的に設置され、前記モータの両端にはスプライン軸が伝動できるように連結され、前記移動チャンバの左右端壁の中には前記スプライン軸とスプラインにより連結されるスプラインスリーブが回転できるように設置され、左側の前記スプラインスリーブの左端には第一傘歯車が固定的に設置され、前記第一傘歯車の後端には第二傘歯車が噛合し設置され、前記第二傘歯車と前記回転軸とがベルトにより伝動できるように連結され、右側の前記スプラインスリーブの右端には第三傘歯車が固定的に設置され、前記第三傘歯車の上端には第四傘歯車が噛合し設置され、前記第四傘歯車の上端と前記ネジとが固定的に連結され、前記第四傘歯車の右端には第五傘歯車が噛合し設置され、前記第五傘歯車の右端面には固定軸が固定的に設置され、前記固定軸の右端と前記昇降装置とが伝動できるように連結され、
前記モータがそれぞれ前記モールドを成形駆動し、前記ショベルを駆動し砂を送らせる。
【０００７】
さらなる技術プラン、前記昇降装置は連通チャンバの中に回転できるように設置される回転ロッドを含み、前記回転ロッドの上端と前記スライドブロックとが回転できるように連結され、前記回転ロッドの中にはプッシュ溝が設置され、前記プッシュ溝の中にはプッシュブロックがスライドできるように設置され、前記プッシュブロックにはプッシュロッドが回転できるように設置され、前記プッシュロッドの左端にはネジ山軸がネジ山により連結され、前記ネジ山軸の左端の中には凹溝が設置され、前記凹溝の上下側には貫通溝が連通し設置され、前記固定軸の右端が前記凹溝の中に挿入され、且つ前記固定軸の右端には前後に対称している固定ブロックが固定的に設置され、前記固定ブロックにおいて互いに離れている一端がそれぞれ前記貫通溝の中に挿入され、且つ前記固定ブロックと前記貫通溝との間にはトーションばねが固定的に設置され、
前記プッシュロッドが水平に移動し前記回転ロッドを回転させる。
【０００８】
さらなる技術プラン、前記噴水装置は前記空き溝と連通している連通溝を含み、前記連通溝の中には近接する一端が前記回しロッドと当接している連通ブロックがスライドできるように設置され、前記連通ブロックにおいて互いに離れている一端と前記連通溝との間には押圧ばねが固定的に設置され、前記連通ブロックの中には前記水チャンバと外部とを連通できる貫き溝が設置され、前記水チャンバと外部との間にはノズルが固定的に設置され、
前記回転輪が回転し前記水チャンバを外部と間欠的に連通させる。
【０００９】
さらなる技術プラン、前記支持装置は収縮チャンバの中に回転できるように設置される回転筒を含み、前記回転筒の下端には左右に対称している支えロッドが固定的に設置され、前記支えロッドの間が連結ロッドにより固定的に連結され、前記支えロッドの下端には前記バケツ本体を支えることができる支えブロックが回転できるように設置され、前記回転筒の外周の中には六つの引掛り溝が設置され、前記収縮チャンバの下端壁の中には押し溝が連通し設置され、前記押し溝の中には上端が前記引掛り溝の中に伸びている引掛りロッドがスライドできるように設置され、前記引掛りロッドの右端が外部まで伸びており、前記引掛りロッドの下端と前記押し溝との間には回転ばねが固定的に設置され、
前記引掛りロッドが前記支えロッドの位置をロックする。
【発明の効果】
【００１０】
本発明の有益的な効果は：本発明は構造が簡単で、操作が便利であり、ショベルが自動的に砂を掘りバケツチャンバの中に送り、自動的に成形を行い、成形効率が高く、作った砂型が丈夫で、崩れにくく、そして、モールドバケツは外観がきれいで、収納と携帯とが便利である。
【図面の簡単な説明】
【００１１】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のビーチモールドバケツが使用する装置の内部全体構造概略図
【図２】図２は本発明の図１のＡの拡大構造概略図
【図３】図３は本発明の図２のＢ―Ｂ方向の構造概略図
【図４】図４は本発明の図１のＣ―Ｃ方向の構造概略図
【図５】図５は本発明の図１のＤの拡大構造概略図
【図６】図６は本発明の図１のＥ―Ｅ方向の構造概略図
【図７】図７は本発明の図６のＦの拡大構造概略図
【発明を実施するための形態】
【００１３】
図１〜７を参照し、本発明のビーチモールドバケツは、バケツ本体１０を含み、前記バケツ本体１０の中にはバケツチャンバ１１が設置され、前記バケツチャンバ１１の右側と外部との間には開けチャンバ３４が連通し設置され、前記バケツチャンバ１１の左端壁の中には回転溝１２が連通し設置され、前記回転溝１２の中にはネジ１３が回転できるように設置され、前記回転溝１２の下側には動力装置１００が設置され、前記ネジ１３の下端と前記動力装置１００とが伝動できるように連結され、前記回転溝１２の上側内壁の中には前記回転溝１２に連通している開け溝１８が設置され、前記開け溝１８が外部空間と前記バケツチャンバ１１とを連通しており、前記ネジ１３の上端と前記開け溝１８の上端壁とが回転できるように連結され、且つ前記ネジ１３には回転ブロック１４がネジ山により連結され、前記回転ブロック１４の右端には固定盤１５が固定的に設置され、前記固定盤１５の下端面には磁石１６が固定的に設置され、前記磁石１６の下端にはモールド１７が磁力吸引により設置され、前記バケツチャンバ１１の下側にはプッシュ板１９がスライドできるように設置され、前記プッシュ板１９の中にはスライド溝２０が設置され、前記スライド溝２０の中にはスライドブロック２１がスライドできるように設置され、前記バケツチャンバ１１の内壁の中には連通チャンバ２４が設置され、前記連通チャンバ２４の中には昇降装置２００が設置され、前記昇降装置２００が前記スライドブロック２１と回転できるように連結され、前記連通チャンバ２４の下側には回転チャンバ３５が連通し設置され、前記回転チャンバ３５の中には回転軸３６により回転輪３７が回転できるように設置され、前記回転輪３７の下端には固定ロッド３８が固定的に設置され、前記固定ロッド３８の下端にはショベル３９が固定的に設置され、前記回転軸３６と前記動力装置１００とが伝動できるように連結され、前記回転チャンバ３５の前後側には空き溝５６が連通し設置され、前記回転軸３６の前後端がそれぞれ前記空き溝５６の中に挿入され、且つ前記回転軸３６の前後端には回しロッド５７が固定的に設置され、前記空き溝５６において互いに離れている側には水チャンバ５０が設置され、前記水チャンバ５０の下側には噴水装置３００が設置され、前記噴水装置３００と前記回しロッド５７とが当接しており、前記開けチャンバ３４の前後側内壁の中には前記開けチャンバ３４を中心として対称している収縮チャンバ４１が設置され、前記収縮チャンバ４１の中には前記バケツ本体１０を支持できる支持装置４００が設置され、
前記支持装置４００が前記バケツ本体１０をビーチに支え、前記ショベル３９が砂を前記バケツチャンバ１１の中に送り、前記モールド１７により成形する。
【００１４】
有益的には、前記動力装置１００は移動チャンバ６７を含み、前記移動チャンバ６７の中には前記移動チャンバ６７の左右端壁と磁力吸引できる移動ブロック６６がスライドできるように設置され、前記移動チャンバ６７の上側には引き溝７０が連通し設置され、前記引き溝７０の中には下端が前記移動ブロック６６と固定的に連結される引きロッド７１がスライドできるように設置され、前記引きロッド７１の左端が外部まで伸びており、前記移動ブロック６６の中にはモータ６５が固定的に設置され、前記モータ６５の両端にはスプライン軸６４が伝動できるように連結され、前記移動チャンバ６７の左右端壁の中には前記スプライン軸６４とスプラインにより連結されるスプラインスリーブ６３が回転できるように設置され、左側の前記スプラインスリーブ６３の左端には第一傘歯車６８が固定的に設置され、前記第一傘歯車６８の後端には第二傘歯車６９が噛合し設置され、前記第二傘歯車６９と前記回転軸３６とがベルト５８により伝動できるように連結され、右側の前記スプラインスリーブ６３の右端には第三傘歯車６２が固定的に設置され、前記第三傘歯車６２の上端には第四傘歯車６１が噛合し設置され、前記第四傘歯車６１の上端と前記ネジ１３とが固定的に連結され、前記第四傘歯車６１の右端には第五傘歯車６０が噛合し設置され、前記第五傘歯車６０の右端面には固定軸３０が固定的に設置され、前記固定軸３０の右端と前記昇降装置２００とが伝動できるように連結され、
前記モータ６５がそれぞれ前記モールド１７を成形駆動し、前記ショベル３９を駆動し砂を送らせる。
【００１５】
有益的には、前記昇降装置２００は連通チャンバ２４の中に回転できるように設置される回転ロッド２２を含み、前記回転ロッド２２の上端と前記スライドブロック２１とが回転できるように連結され、前記回転ロッド２２の中にはプッシュ溝２３が設置され、前記プッシュ溝２３の中にはプッシュブロック２５がスライドできるように設置され、前記プッシュブロック２５にはプッシュロッド２６が回転できるように設置され、前記プッシュロッド２６の左端にはネジ山軸２７がネジ山により連結され、前記ネジ山軸２７の左端の中には凹溝３３が設置され、前記凹溝３３の上下側には貫通溝２９が連通し設置され、前記固定軸３０の右端が前記凹溝３３の中に挿入され、且つ前記固定軸３０の右端には前後に対称している固定ブロック３１が固定的に設置され、前記固定ブロック３１において互いに離れている一端がそれぞれ前記貫通溝２９の中に挿入され、且つ前記固定ブロック３１と前記貫通溝２９との間にはトーションばね３２が固定的に設置され、
前記プッシュロッド２６が水平に移動し前記回転ロッド２２を回転させる。
【００１６】
有益的には、前記噴水装置３００は前記空き溝５６と連通している連通溝５１を含み、前記連通溝５１の中には近接する一端が前記回しロッド５７と当接している連通ブロック５２がスライドできるように設置され、前記連通ブロック５２において互いに離れている一端と前記連通溝５１との間には押圧ばね５４が固定的に設置され、前記連通ブロック５２の中には前記水チャンバ５０と外部とを連通できる貫き溝５３が設置され、前記水チャンバ５０と外部との間にはノズル５５が固定的に設置され、
前記回転輪３７が回転し前記水チャンバ５０を外部と間欠的に連通させる。
【００１７】
有益的には、前記支持装置４００は収縮チャンバ４１の中に回転できるように設置される回転筒４２を含み、前記回転筒４２の下端には左右に対称している支えロッド４３が固定的に設置され、前記支えロッド４３の間が連結ロッド４９により固定的に連結され、前記支えロッド４３の下端には前記バケツ本体１０を支えることができる支えブロック４４が回転できるように設置され、前記回転筒４２の外周の中には六つの引掛り溝４５が設置され、前記収縮チャンバ４１の下端壁の中には押し溝４６が連通し設置され、前記押し溝４６の中には上端が前記引掛り溝４５の中に伸びている引掛りロッド４７がスライドできるように設置され、前記引掛りロッド４７の右端が外部まで伸びており、前記引掛りロッド４７の下端と前記押し溝４６との間には回転ばね４８が固定的に設置され、
前記引掛りロッド４７が前記支えロッド４３の位置をロックする。
【００１８】
初期状態に、左側のスプライン軸６４と左側のスプラインスリーブ６３とが連結され、プッシュ板１９とバケツチャンバ１１の下端壁とが当接していなく、支えロッド４３が収縮チャンバ４１の中に収縮しており、ショベル３９が回転チャンバ３５の中に収縮しており、水チャンバ５０の中には水がある。
【００１９】
作動するとき、引掛りロッド４７を下に引き、回転筒４２を回転させ支えブロック４４を地面と当接させ、引掛りロッド４７を放し引掛り溝４５と引掛って連結させ、それによりバケツ本体１０が安定になり、モータ６５が作動し第二傘歯車６９を回転連動させ、ベルト５８により回転輪３７を回転させ、ショベル３９がバケツ本体１０の下にある砂を掘り、ショベル３９が回転し砂をバケツチャンバ１１の中に送り、その過程では、回しロッド５７が共に回転し連通ブロック５２を回し、それにより貫き溝５３が水チャンバ５０と外部とを連通し、水チャンバ５０の中にある水がノズル５５により砂に噴出し、モータ６５が反転しショベル３９を反転させることができ、操作を繰り返し、濡れた砂を掘り、砂の充填が完了した後、引きロッド７１を右にプッシュし移動ブロック６６と移動チャンバ６７の右端壁とを磁力吸引させ、それにより右側のスプライン軸６４と右側のスプラインスリーブ６３とが連結され、モータ６５が作動し第四傘歯車６１を回転駆動し、それによりネジ１３が回転し回転ブロック１４に固定盤１５を降下連動させ砂型を作ることを準備し、第四傘歯車６１が回転し固定軸３０を回転させ、それにより固定ブロック３１とトーションばね３２とによりネジ山軸２７を回転させ、プッシュロッド２６が右に移動し回転ロッド２２を回転させ、それによりプッシュ板１９がバケツチャンバ１１の下側限界位置まで下がり、ネジ１３が回転し続け、固定軸３０が固定ブロック３１を回転連動させ、且つ固定ブロック３１がトーションばね３２を押しトーションばね３２を収縮させ、このときネジ山軸２７が動かなく、モールド１７が下がり成形を行い、成形が終わると、モータ６５が反転し、回転ブロック１４がモールド１７を上面から見ると反時計回りに外部まで回転連動させ、このとき、固定軸３０がネジ山軸２７を反転連動させ、プッシュロッド２６により回転ロッド２２を反転させ、プッシュ板１９をプッシュし上昇させ砂型を上にプッシュし、取ることに便利である。
【００２０】
本発明の有益的な効果は：本発明は構造が簡単で、操作が便利であり、ショベルが自動的に砂を掘りバケツチャンバの中に送り、自動的に成形を行い、成形効率が高く、作った砂型が丈夫で、崩れにくく、そして、モールドバケツは外観がきれいで、収納と携帯とが便利である。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。